(57)【要約】【課題】高性能フィルタを用いた場合であっても前後方向におけるコンパクト性が阻害されにくいコンパクト形クリーナーを提供する。【解決手段】集塵のための吸引力を生じさせる吸引手段５と、前記吸引手段５よりも前方に位置し、吸引された塵埃を捕集する捕集空間３ａを有する集塵室部３と、前記集塵室部３における後方部に設けられ、前記集塵室部３を通過する気流に含まれる塵埃を捕集するフィルタ部４とを備え、前記フィルタ部４は、塵埃を捕集する捕集部４１と、当該フィルタ部４の一部から前記捕集空間３ａに突出しており前記集塵室部３に係止される係止爪部４３１とを備える。【選択図】図７
2017006374.tif 000002
【特許請求の範囲】
【請求項１】
集塵のための吸引力を生じさせる吸引手段と、
前記吸引手段よりも前方に位置し、吸引された塵埃を捕集する捕集空間を有する集塵室部と、
前記集塵室部における後方部に設けられ、前記集塵室部を通過する気流に含まれる塵埃を捕集するフィルタ部とを備え、
前記フィルタ部は、塵埃を捕集する捕集部と、当該フィルタ部の一部から前記捕集空間に突出しており前記集塵室部に係止される係止爪部とを備えるコンパクト形クリーナー。
【請求項２】
前記集塵室部は、前記捕集空間に溜まった塵埃を外部に取り出すことのできる開口部を備え、
前記係止爪部は、前記開口部に臨んで配置される、請求項１に記載のコンパクト形クリーナー。
【請求項３】
前記開口部は、コンパクト形クリーナーの使用時にて上方に位置し、
前記係止爪部は、前記集塵室部における上部に位置する、請求項２に記載のコンパクト形クリーナー。
【請求項４】
前記係止爪部は、前記集塵室部との係止状態を解除する係止操作部を一体に備える、請求項１〜３のいずれかに記載のコンパクト形クリーナー。
【発明の詳細な説明】
【技術分野】
【０００１】
本発明は、例えばハンドクリーナー等のコンパクト形クリーナーに関する。
【背景技術】
【０００２】
従来、例えばユーザーが手で持って清掃を行うことのできる掃除機であるハンドクリーナー等の、コンパクト形クリーナーが存在する（例えば、特許文献１参照）。
【０００３】
特許文献１のコンパクト形クリーナーは充電式のバッテリーを備えており、電力線にコードを常時接続することなく、ユーザーが手持ちで清掃を行うことができる。このコンパクト形クリーナーにて、集塵袋（紙パック等）が配置される集塵室部における後方部であり、吸引手段としての集塵ファンよりも前方にはフィルタが設けられる。特許文献１に記載のフィルタはスポンジからなっており、フィルタ取付部に対して撓ませることで取り付けられる。
【０００４】
ここで、スポンジ製フィルタを用いた場合に比べて、コンパクト形クリーナーから外部に出る排気を清浄にするため、前記フィルタとして高性能フィルタを用いることが考えられる。この高性能フィルタは、例えば波状に折り畳んだ濾材が枠材に支持されて構成されている。
【０００５】
枠材は従来のフィルタに用いられるスポンジに比べて剛性が高いため、高性能フィルタは撓ませることで取り付けできない。このため、フィルタ取付部に対する係止手段をフィルタに設けておく必要がある。
【０００６】
この係止手段として、例えば、枠材から後方に係止爪部を突出させ、この係止爪部をフィルタ取付部に係止させることが考えられる。しかしこの構成では、フィルタよりも後方に係止のためのスペースを確保しなければならなくなる。ところが、フィルタよりも後方には集塵ファンが存在しているため、特に小型化の要請が強いコンパクト形クリーナーでは前記スペースの確保が難しい。このため、従来のスポンジ製フィルタを用いることに比べ、高性能フィルタを用いるとクリーナーの前後方向寸法が大きくなってしまう可能性がある。
【先行技術文献】
【特許文献】
【０００７】
【特許文献１】特開２０１１−２１２０４４号公報
【発明の概要】
【発明が解決しようとする課題】
【０００８】
そこで、本発明は、かかる事情に鑑みてなされたもので、高性能フィルタを用いた場合であっても前後方向におけるコンパクト性が阻害されにくいコンパクト形クリーナーを提供することを課題とする。
【課題を解決するための手段】
【０００９】
本発明に係るコンパクト形クリーナーは、集塵のための吸引力を生じさせる吸引手段と、前記吸引手段よりも前方に位置し、吸引された塵埃を捕集する捕集空間を有する集塵室部と、前記集塵室部における後方部に設けられ、前記集塵室部を通過する気流に含まれる塵埃を捕集するフィルタ部とを備え、前記フィルタ部は、塵埃を捕集する捕集部と、当該フィルタ部の一部から前記捕集空間に突出しており前記集塵室部に係止される係止爪部とを備える。
【００１０】
かかる構成によれば、係止爪部を吸引手段側に突出させる必要がなく、係止爪部を集塵室部における捕集空間に位置させられるので、フィルタ部を配置するため前後方向に必要な寸法を小さくできる。
【００１１】
また、前記集塵室部は、前記捕集空間に溜まった塵埃を外部に取り出すことのできる開口部を備え、前記係止爪部は、前記開口部に臨んで配置されるよう構成されることもできる。
【００１２】
かかる構成によれば、係止爪部が開口部に近いため、係止爪部の操作性が良い。
【００１３】
また、前記開口部は、コンパクト形クリーナーの使用時にて上方に位置し、前記係止爪部は、前記集塵室部における上部に位置するよう構成されることもできる。
【００１４】
かかる構成によれば、集塵室部において塵埃は下部に溜まる傾向にあることから、塵埃が溜まりにくく空間が残る上部に係止爪部を配置することで、クリーナー内空間の有効利用ができる。
【００１５】
また、前記係止爪部は、前記集塵室部との係止状態を解除する係止操作部を一体に備えるよう構成されることもできる。
【００１６】
かかる構成によれば、係止爪部と係止操作部とを一体とすることで、操作性の良い係止爪部を容易に形成できる。
【発明の効果】
【００１７】
以上の如く、本発明によれば、フィルタ部を配置するため前後方向に必要な寸法を小さくできる。このため、高性能フィルタを用いても前後方向におけるコンパクト性が阻害されないコンパクト形クリーナーを提供できる。
【図面の簡単な説明】
【００１８】
【図１】本発明の一実施形態に係るコンパクト形クリーナー全体を示す側面図である。
【図２】同コンパクト形クリーナーを示す、図１におけるＡ−Ａ矢視の要部横断面図である。
【図３】同コンパクト形クリーナーを示す、図１におけるＢ−Ｂ矢視の縦断面図である。
【図４】同コンパクト形クリーナーにおいて集塵室部、フィルタ部、吸引手段の位置関係を示す要部縦断面図である。
【図５】同コンパクト形クリーナーのフィルタ部を示し、（ａ）は正面（前面）側斜視図、（ｂ）は背面（後面）側斜視図、（ｃ）は平面図である。
【図６】（ａ）は同コンパクト形クリーナーの集塵室部における後方部（フィルタ部無し）を示す前方側要部斜視図であり、（ｂ）は（ａ）におけるＣ囲み部の拡大図である。
【図７】（ａ）は同コンパクト形クリーナーの集塵室部における後方部（フィルタ部有り）を示す前方側要部斜視図であり、（ｂ）は（ａ）におけるＤ囲み部の拡大図である。
【図８】同コンパクト形クリーナーにおけるフィルタ部の取り付け・取り外し途中の状態を示す要部縦断面図である。
【図９】本発明の他の実施形態に係るフィルタ部を示し、（ａ）は正面（前面）側斜視図、（ｂ）は背面（後面）側斜視図である。
【図１０】本発明の更に他の実施形態に係るフィルタ部を示し、（ａ）は正面（前面）側斜視図、（ｂ）は背面（後面）側斜視図である。
【発明を実施するための形態】
【００１９】
以下、本発明に係るコンパクト形クリーナー１の一実施形態について、図面に基づいて説明する。なお、以下における前後方向の説明はコンパクト形クリーナー１の使用状態におけるものであって、コンパクト形クリーナー１を持つユーザーに近い側を後方とし、遠い側を前方とする。また、「左右」とは、前方から後方を見た場合の左右方向である。
【００２０】
本実施形態のコンパクト形クリーナー１は、ユーザーがボディ１１に形成されたハンドル１２を手で直接持つことで、ボディ１１を空中に位置させて清掃を行うことのできるハンドクリーナーである。ただし、本発明のコンパクト形クリーナー１はこのような形態のハンドクリーナーに限定されず、例えば、ボディ１１を床に置き、このボディ１１に棒状の延長ハンドルを接続した状態としてユーザーがこの延長ハンドルを持って清掃を行うことのできる形態（図示しない）とすることもできる。
【００２１】
本実施形態のコンパクト形クリーナー１は、外観は図１に示すもので、（前方から順に）吸引ノズル２、集塵室部３、フィルタ部４、吸引手段５を備えている。
【００２２】
吸引ノズル２は、従来から存在する一般的なコンパクト形クリーナーと同じく、前後方向に延びる筒状体であり、塵埃をコンパクト形クリーナー１の内部に吸い込むことができる。この吸引ノズル２は、前方に種々の延長ノズルを接続することができるよう構成されている。また、図示しないが後端部には逆止弁が設けられており、集塵室部３内の塵埃が吸引ノズル２からこぼれ出ないようにされている。
【００２３】
集塵室部３は、吸引ノズル２よりも後方に位置し、かつ、吸引手段５よりも前方に位置する部分である。この集塵室部３は、吸引ノズル２から吸引された塵埃を捕集して溜めることのできる捕集空間３ａを有する。捕集空間３ａには、１次フィルタとしての集塵袋（紙パック等）３１（図４に二点鎖線で示す）を収納できる。図示しないが、集塵袋には吸引ノズル２の後部が挿入されており、吸引ノズル２を通過した塵埃を含む気流を袋内に導入することで塵埃を袋内に捕集できる。なお、集塵袋３１を設けず、捕集空間３ａに直接塵埃を溜めるよう集塵室部３を構成することもできる。
【００２４】
集塵室部３は、捕集空間３ａに溜まった塵埃を外部に取り出すことのできる開口部３２を備えている。この開口部３２は開閉可能な蓋部３２１により覆われている。この蓋部３２１は、ヒンジ部３２２を中心としてボディ１１に対して回動可能である（図１に示す矢印ｄ３２１の方向）。蓋部３２１を開放することで、開口部３２を介し捕集空間３ａと外部とを連通させられる。ここで通常、ユーザーはハンドル１２を手で持ち、図１に示す状態からボディ１１を適宜傾けてコンパクト形クリーナー１を使用する。このため、通常の使用時において開口部３２は上方に位置することとなる。
【００２５】
集塵室部３における後方部（つまり、集塵室部３内の後方領域）には、図２及び図４に示すように、取り付け状態のフィルタ部４を挟んで後方には後方支持台３３が位置し、前方には前方支持台３４が位置する。本実施形態では、各支持台３３，３４は面が前後を向いた平板状とされている。後方支持台３３には、フィルタ部４におけるフィルタ枠部４２の背面（後面）が当接する。後方支持台３３よりも前方には前方支持台３４が位置し、この前方支持台３４には後述する被係止部３５が形成されている。
【００２６】
各支持台３３，３４は、吸引手段５における吸引開口部５３１（図６参照）に対し、前方から見て取り巻きつつも重ならように位置している。コンパクト形クリーナーにおいては、一般的な掃除機よりも制限されたスペースに構成部品を配置することが要請されるため、各支持台３３，３４をこのように配置することは、前記要請に応じつつ吸引手段５の吸引性能を犠牲にすることを抑制できるためメリットが大きい。
【００２７】
吸引手段５は、図２及び図４に示すように集塵室部３よりも後方に位置し、集塵のための吸引力を生じさせる部分であり、ファン５１とモータ５２とを備える。コンパクト形クリーナー１が備える充電式のバッテリー（図示しない）によりモータ５２を駆動させ、その駆動力によりファン５１を回転させて吸引のための気流を生じさせることができる。ファン５１の前方にはカバー５３が配置されている。カバー５３は吸引開口部５３１を有している。本実施形態の吸引開口部５３１は円形とされている。モータ５２を通電してファン５１を回転させることにより、この吸引開口部５３１を通る前方から後方へ向かう気流を発生させることができる。
【００２８】
フィルタ部４は、図２〜図４に示すように集塵室部３における後方部であって、かつ、吸引手段５よりも前方に位置している。このフィルタ部４は、集塵室部３を通過し吸引手段５に入るまでの気流に含まれる塵埃を捕集する。集塵袋３１が１次フィルタである場合、このフィルタ部４は２次フィルタとなる。集塵袋３１（１次フィルタ）とフィルタ部４（２次フィルタ）とは協働して塵埃を捕集する。これにより、吸引手段５が塵埃の衝突や進入により損傷することを抑制できる。
【００２９】
フィルタ部４は、正面（前面）視にて略正方形の四隅が削られた形状を呈しており、図５（ａ）〜（ｃ）に示すように、捕集部４１、形態保持部としてのフィルタ枠部４２、一対のアーム部４３，４３を備える。各アーム部４３は、基端側に位置する係止爪部４３１と先端側に位置する係止操作部４３２とを備える。
【００３０】
捕集部４１では、集塵室部３から吸引手段５へと流れる気流に含まれ、集塵袋３１では捕集されなかった塵埃を捕集する。一般的には、フィルタ部４で捕集できる塵埃の大きさは、集塵袋３１で捕集できる塵埃の大きさよりも小さくなるようにフィルタの目が設定されている。本実施形態のフィルタ部４としては、従来のスポンジ製フィルタよりも塵埃の捕集効率に優れた高性能フィルタが用いられており、排気を従来よりも清浄にできる。この高性能フィルタとして、例えば、不織布等からなるシート状の濾材を波状に折り曲げて成形したものが用いられる。本実施形態では、捕集部４１の折目（山及び谷）が図示のように上下方向に平行に形成されている。このように折り曲げられた形態により、シート状（平板状）のままの形態に比べて捕集部４１の表面積を増加させることができるため、限られた面積（縦断面積）に配置せざるを得ないフィルタ部４の集塵性能を向上できる。
【００３１】
フィルタ枠部４２は、捕集部４１よりも剛性が高く、捕集部４１を一定の形態に保持する部分である。本実施形態のフィルタ枠部４２は硬質樹脂で形成されており、捕集部４１は熱溶着等によりフィルタ枠部４２と一体化されている。
【００３２】
本実施形態のフィルタ枠部４２は、左右上方に位置する一対の隅部に切欠部４４，４４を有する。このため、フィルタ部４の上部における幅寸法は中間部よりも小さく形成されている。捕集部４１も、これら切欠部４４，４４に合わせた形状とされている。このような切欠部４４を有するフィルタ枠部４２を形成することにより、本実施形態では円形である、吸引手段５における吸引開口部５３１を捕集部４１が覆うことをできつつ（図３参照）、捕集部４１から無駄な部分（つまり、塵埃の捕集に寄与しにくい部分）を省略して、捕集部４１を吸引手段５よりも前方に効率的に配置できる。
【００３３】
更に、本実施形態のフィルタ枠部４２は、左右下方に位置する一対の隅部に面取部４５，４５を有する。これら面取部４５，４５は、図３に示すように集塵室部３におけるボディ１１の縦断面形状が湾曲しているため、この湾曲形状に沿わせるために形成されている。これら面取部４５，４５の形成により、集塵室部３の縦断面形状に沿ってフィルタ部４を無駄なく配置できる。
【００３４】
係止爪部４３１はアーム部４３における基端側の一部であり、フィルタ枠部４２の切欠部４４から前方に突出して形成された板状の部分である。この係止爪部４３１は左右に一対形成されており、図５（ｃ）に示すように、前記一対の左右間隔は前方に向かうにつれ広がる略「ハ」の字形とされている。一対の係止爪部４３１，４３１は、フィルタ枠部４２（切欠部４４が形成された部分）の左右両端に位置する。よって、フィルタ枠部４２が撓んで集塵室部３における後方支持台３３との間で隙間が生じることを効果的に抑制できる。
【００３５】
各係止爪部４３１は、基端側（フィルタ枠部４２側）が上下寸法の大きい幅広部４３１１とされており、先端側が幅広部４３１１よりも上下寸法の小さい幅狭部４３１２とされている。幅広部４３１１と幅狭部４３１２との境界には段差部４３１３が形成されている。本実施形態では、幅広部４３１１及び幅狭部４３１２における上辺と下辺とは平行とされており、厚みも均一に形成されているが、これに限定されず、上下寸法または厚さ寸法が基端側から先端側に至るまでの位置で変化するよう形成することもできる。また、段差部４３１３は幅広部４３１１と幅狭部４３１２とに対し直角の段差であるが、これに限定されず、例えば傾斜した段差とすることもできる。
【００３６】
ここで、集塵室部３における後方部には、図６（ａ）（ｂ）に示すように、フィルタ部４の係止爪部４３１が係止される被係止部３５が形成されている。本実施形態の被係止部３５は、前方支持台３４よりも更に前方に位置する板状部に形成された、左右方向中央を向いた凹部であって、係止爪部４３１における段差部４３１３が引っ掛かる（つまり、被係止部３５よりも後方に幅広部４３１１が位置する）ことにより、係止爪部４３１と被係止部３５との係止がなされ、図７（ａ）（ｂ）に示すように、フィルタ部４を集塵室部３の後方部に取り付けることができる。
【００３７】
また本実施形態では、係止爪部４３１が先端側に延長されるようにして一体に係止操作部４３２が形成されている（なお、アーム部４３における係止爪部４３１と係止操作部４３２の境界は、本実施形態では明瞭に区分されてはいない）。つまり、係止爪部４３１と係止操作部４３２とは一体に備えられる。係止爪部４３１と係止操作部４３２とを一体とすることで、操作性の良い係止爪部４３１を容易に形成できる。更に、本実施形態の係止操作部４３２は、係止爪部４３１の先端側への延長方向に位置する。つまり、図５（ｃ）に示すように、係止爪部４３１と係止操作部４３２とは平面視において一直線上に配置される。このため、係止操作部４３２に加えられたユーザーの力を直接的に係止爪部４３１に伝達させることができるので、この点でも操作性が良好になる。また、本実施形態では係止爪部４３１及び係止操作部４３２はフィルタ枠部４２と一体に形成されているので硬質樹脂からなっている。このため、係止爪部４３１及び係止操作部４３２の有する弾性により、ユーザーの操作後には外力を加えることなしに自発的に元の形態に復帰する。このため、ユーザーの操作は一方向だけの操作でよいので、係止操作部４３２を扱い易い。
【００３８】
係止操作部４３２はアーム部４３における先端側の一部であり、集塵室部３に対するフィルタ部４の着脱の際に、ユーザーが操作する（具体的にはユーザーが一対の係止操作部４３２，４３２を、図５（ｃ）に示す方向ｄ４３２に移動するようにつまむ）ことで、係止爪部４３１の集塵室部３における被係止部３５に対する係止状態を解除できる。被係止部３５の凹部は、左右方向中央を向いて開口した形状であるので、前記ユーザーの操作により、係止爪部４３１における段差部４３１３が被係止部３５（凹部）から脱出する。これにより、係止爪部４３１と被係止部３５との係止状態を解除できる。ユーザーが一対の係止操作部４３２，４３２を、親指と人差指でつまむと一対の係止爪部４３１，４３１の間隔が縮小するため、一対の係止操作部４３２，４３２の間隔は、ユーザーが親指と人差指とで無理なくつまめる間隔に設定しておくことが望ましい。なお、係止操作部４３２，４３２をつまんだ親指と人差指が滑りにくくなるように、係止操作部４３２，４３２の左右方向外側の面に滑り止め形状、例えば凹凸部を形成してもよい。
【００３９】
ここで、本実施形態の係止爪部４３１は、フィルタ枠部４２の切欠部４４から前方に突出して形成されている。このため、一対の係止操作部４３２，４３２の間隔を狭過ぎず、かつ、広過ぎない間隔とできる。このため、狭過ぎて膨張しようとする集塵袋３１に係止操作部４３２が干渉するようなことを避けられる。また、広過ぎて係止操作部４３２が開口部３２の陰に隠れて操作しにくくなったり、前述のようにつまみ難くなったりするようなことを避けられる。前述のように、コンパクト形クリーナーでは小さなスペースに構成部品を配置することが要請されるため、一対の係止操作部４３２，４３２の間隔を狭過ぎず、かつ、広過ぎない間隔とできることは、前記要請に応じつつ操作性を犠牲にすることを抑制できる点でメリットが大きい。
【００４０】
また、図４及び図８に示すように、フィルタ枠部４２の下面からは係止突部４６が突出している。この係止突部４６は前方支持台３４における後面に引っ掛けられ、かつ、フィルタ枠部４２の下面が前方支持台３４における内縁に当接することで、フィルタ枠部４２の下部の位置決めがなされる。
【００４１】
フィルタ部４の取り付け及び取り外しは、ユーザーが一対の係止操作部４３２，４３２を操作して行うことができる。具体的に、フィルタ部４の取り付けは、図８に示すように、まず、係止突部４６を前方支持台３４よりも後方に位置させ、次に、フィルタ部４の上側を後方へ移動（回動）させて、図７等に示すように、一対の係止爪部４３１，４３１の段差部４３１３，４３１３を被係止部３５，３５に係止させることで達成される。なおこの際、一対の係止爪部４３１，４３１は前述のように略「ハ」の字形に形成されていることから、前記移動（回動）時に被係止部３５の周辺に摺接して間隔が狭められた後に係止状態に移行する。すなわち、フィルタ部４の取り付けの際には、ユーザーが一対の係止操作部４３２，４３２を手でつまむことが不十分であっても問題なく被係止部３５，３５に係止することができる。
【００４２】
フィルタ部４の取り外しは、ユーザーが一対の係止操作部４３２，４３２を手でつまんで、一対の係止爪部４３１，４３１における段差部４３１３，４３１３の被係止部３５，３５への係止状態が解除されるまで十分に間隔を狭めた後、フィルタ部４の上部を前方に傾けて開口部３２から取り出すことで達成される。
【００４３】
以上のように形成された係止爪部４３１は、図４に示すように、集塵室部３にフィルタ部４が装着された状態で、フィルタ枠部４２から集塵室部３の有する捕集空間３ａに突出する（本実施形態では係止操作部４３２もまた捕集空間３ａに突出する）。このことから、係止爪部４３１を吸引手段５側には突出させる必要がないので、コンパクト形クリーナー１でフィルタ部４を配置するため前後方向に必要な寸法を小さくできる。よって、コンパクト形クリーナー１のコンパクト化に貢献できる。
【００４４】
また、係止爪部４３１は開口部３２に臨んで配置される。よって、係止爪部４３１が開口部３２に近いため、係止爪部４３１の操作性が良い。そして前述のように、通常の使用時において、開口部３２は上方に位置するから、係止爪部４３１もまた、集塵室部３における上部に位置する。重力により、集塵室部３において塵埃は下部に溜まる傾向にある。このため、塵埃が溜まりにくく空間が残る上部に係止爪部４３１を配置することで、クリーナー内空間の有効利用ができる。
【００４５】
尚、本発明に係るコンパクト形クリーナーは、上記実施形態に限定されるものではなく、本発明の要旨を逸脱しない範囲で種々の変更が可能である。
【００４６】
例えば、前記実施形態の係止爪部４３１は、図５（ａ）〜（ｃ）に示すように、縦断面において上下方向に細長い形状とされていたが、これに限定されない。例えば、図９に示すように（前記実施形態と同一機能を有する部分には、図に同一の符号を付している）、一対の係止爪部４３１，４３１がフィルタ枠部４２の切欠部４４から前方に突出して形成された点では前記実施形態と共通であるものの、縦断面において左右方向に細長い形状とすることもできる。係止操作部４３２も同様である。
【００４７】
また、図９に示す実施形態では、係止爪部４３１における段差部４３１３よりも後方部が、後方に向かうにつれ厚みが小さくなる楔状に形成されており、フィルタ部４を後方に押込むことで、集塵室部３に取り付けることができる。一方、取り外しは係止操作部４３２を下方（図９（ｂ）に示す方向ｄ４３２）に移動させることで、集塵室部３との係止を解除できる。
【００４８】
また、図１０に示すように（前記実施形態と同一機能を有する部分には、図に同一の符号を付している）、フィルタ部４における左右方向中央に、フィルタ枠部４２から一つの係止爪部４３１が前方に突出して形成された形状とすることもできる。係止操作部４３２も同様である。この実施形態の係止爪部４３１の操作方法は図９に示す実施形態と同じである。図９に示す実施形態では、特に取り外しの際、ユーザーが両手で操作する必要があったが、図１０に示す実施形態では片手で操作可能である。なおフィルタ部４は、図１０に示されたように切欠部４４を形成しないこともできる。
【００４９】
また、フィルタ部４の形態保持部は、前記実施形態のフィルタ枠部４２のような枠状である形態に限定されない。例えば、捕集部４１の外周縁を熱や接着剤の含浸により硬化させたものとできる。また形態保持部は、捕集部４１の周囲に位置するものではなく、捕集部４１の内部に埋め込まれた形態ともできる。更に、捕集部４１自体が保形性を有するものとする（捕集部４１自体が形態保持部となる）こともできる。
【００５０】
また、係止爪部４３１は、前記実施形態のように形態保持部であるフィルタ枠部４２から突出したものに限定されず、捕集部４１から突出させることもできる。
【符号の説明】
【００５１】
１…コンパクト形クリーナー、２…吸引ノズル、３…集塵室部、３ａ…捕集空間、４…フィルタ部、５…吸引手段、１１…ボディ、１２…ハンドル、３１…集塵袋、３２…開口部、３３…後方支持台、３４…前方支持台、３５…被係止部、４１…捕集部、４２…形態保持部（フィルタ枠部）、４３…アーム部、４３１…係止爪部、４３２…係止操作部、４４…切欠部、４６…係止突部
【図１】
2017006374.tif 000003
【図２】
2017006374.tif 000004
【図３】
2017006374.tif 000005
【図４】
2017006374.tif 000006
【図５】
2017006374.tif 000007
【図６】
2017006374.tif 000008
【図７】
2017006374.tif 000009
【図８】
2017006374.tif 000010
【図９】
2017006374.tif 000011
【図１０】
2017006374.tif 000012